(57)【特許請求の範囲】
【請求項１】
一つ以上の剃刀刃（１６）と、
一つの非固体シェービングエイド物質を収容する一つの容器（２２）と、
前記容器（２２）と一つ以上のポート（３３）との間を伸長する少なくとも一つの導管（３６）と、
一つのポンプ（２４）と、
前記容器（２２）と流体連通するバルブであって、前記ポンプ（２４）の操作により周囲空気の前記容器（２２）への侵入を許可するよう作動する一方向バルブ（２６）と、
を含み、
前記ポンプ（２４）は往復運動機構を含み、前記容器（２２）及び前記導管（３６）の何れか一つ又は両方と流体連通し、一つ以上の剃刀刃（１６）の移動により作動し、シェービングエイド物質を前記容器（２２）から一つ以上のポート（３３）に移動させることを特徴とする、シェービング装置（１０）。
【請求項２】
前記一つ以上の剃刀刃（１６）がヘッド組立体（１４）に装着される、請求項１記載のシェービング装置（１０）。
【請求項３】
前記一つ以上の剃刀刃（１６）が剃刀カートリッジ（２０）に装着される、請求項１記載のシェービング装置（１０）。
【請求項４】
前記機構が、
一つのスリーブ（２８）と、
加圧式ストロークを備えるために、前記スリーブ（２８）の長手方向に沿って第一方向に移動する一つの軸（３２）と、
戻りストロークを備えるために、前記スリーブ（２８）に位置し第二方向に前記軸（３２）を付勢する一つのばね（３０）と、
を含んで成る、請求項１記載のシェービング装置（１０）。
【請求項５】
前記ポンプ（２４）が往復運動に対応するよう作動する一つのベローズ機構（４２）を含んで成る、請求項３記載のシェービング装置（１０）。
【請求項６】
前記ベローズ機構（４２）が柔軟性のある複数のプリーツ（４０）を含んで成り、加圧式ストロークを備えるために前記プリーツ（４０）が第一方向に折り畳みが可能であり、戻りストロークを備えるために第二方向に拡張する、請求項５記載のシェービング装置（１０）。
【請求項７】
前記剃刀刃（１６）が前記剃刀カートリッジ（２０）に装着される、請求項３記載のシェービング装置（１０）。
【請求項８】
前記剃刀カートリッジ（２０）が枢動可能にヘッド組立体（１４）に装着される、請求項７記載のシェービング装置（１０）。
【請求項９】
湿式シェーブ剃刀用シェービングエイド物質ポンプ（２４）であって、
前記湿式シェーブ剃刀が、剃毛面に接触する少なくとも一つの露出する刃先を画定する一つの剃刀刃（１６）を有しており、
前記ポンプ（２４）が、前記シェービングエイド物質を前記剃毛面に塗布するために、前記シェービングエイド物質を一つの容器（２２）から一つのポート（３３）に移動するよう選択的に作動し、一つの付勢機構（３０）を含む一つの往復機構を含んで成る、
前記容器（２２）からのシェービングエイド物質の流出を促進するために、圧力差を備える前記容器（２２）と連通するよう配置される一つのバルブをさらに含んでおり、
前記バルブが、前記ポンプ（２４）の操作により周囲空気の前記容器（２２）への侵入を許可する一方向バルブ（２６）である、ポンプ（２４）。
【請求項１０】
前記往復機構が、さらに
一つのスリーブ（２８）と、
加圧式ストロークを備えるために、前記スリーブ（２８）の少なくとも部分的に長手方向に沿って第一方向に移動する一つの軸（３２）と、
を含んで成る、請求項９記載のポンプ（２４）。
【請求項１１】
前記付勢機構（３０）が、第二方向に前記軸（３２）を付勢して戻りストロークを与えるように、前記スリーブ（２８）に作動的に位置し、さらに前記軸（３２）に作動的に位置する一つのばね（３０）を含んで成る、請求項１０記載のポンプ（２４）。
【請求項１２】
前記往復機構が、柔軟性のある複数のプリーツ（４０）をさらに含んで成る一つのベローズ（４２）を含み、加圧式ストロークを備えるために、該プリーツ（４０）が第一方向に折り畳みが可能であり、戻りストロークを備えるために第二方向に拡張する、請求項９記載のポンプ（２４）。
【請求項１３】
前記ポンプ（２４）と前記ポート（３３）との間を伸長する一つの導管（３６）をさらに含んで成る、請求項９記載のポンプ（２４）。
【発明の詳細な説明】
【技術分野】
【０００１】
発明の分野
本発明は、一般的にシェービング装置に係わり、特に流動性シェービングエイド物質を備える機構を有するシェービング装置に関する。
【背景技術】
【０００２】
皮膚表面を除毛する一般的なプロセスは、シェービングエイド物質（例えば、シェービングクリーム）を皮膚表面に塗布するステップとは別に、剃刀組立体を用いて剃毛するステップを含める。シェービングエイド物質は、多くの場合は、シェービング操作を促進するための少なくとも一つの適切な物質（例えば、平滑剤、抵抗減少剤、脱毛剤等）を含む。剃刀組立体は、一般に安全剃刀であり、少なくとも一つの剃刀刃を持つ使い捨て型の剃刀カートリッジを有する。
【０００３】
これまで、剃刀組立品とシェービングエイド物質を塗布する機構とを一体化するシェービング装置に対して、幾多の試みが成された。例えば、剃刀組立体と塗布機構とを一体化するシェービング装置は、シェービングエイド物質を収容する容器と、容器と排出する場所とを繋げる一つ以上の通路と含む。シェービングエイド物質は、剃毛する皮膚に、通路から排出されるシェービングエイド物質が塗布される。
【発明の開示】
【発明が解決しようとする課題】
【０００４】
容器からシェービングエイド物質を塗布する従来の機構は、加圧ガス源を含む。しかしながら、加圧型機構は、多くの場合、製造費用が嵩み、追加的交換品を必要とする。さらに、容器からシェービングエイド物質を供給するために、機械的システムを利用することとなる。前述したシステムは、一般にユーザに対し、通常のシェービング操作に加えて、所定の作動装置を必要とする。したがって、シェービングの簡易化に悪影響を及ぼすこととなる。したがって、先行技術に付随する前述の欠点を解消する、シェービングエイド物質を塗布するシェービング装置を提供することが必要である。
【課題を解決するための手段】
【０００５】
本発明は、一つ以上の剃刀刃と、非固形シェービングエイド物質を収容する容器と、剃刀刃に隣接し容器と一つ以上のポートとの間を伸長する少なくとも一つの導管と、容器及び導管の何れか一つ又は両方と流体連通し、一つ以上の剃刀刃の移動により作動し、シェービングエイド物質を容器から一つ以上のポートに移動するポンプとを含むシェービング装置を備える。
【０００６】
本発明の一つの態様において、ポンプは往復機構を含み、往復機構は、スリーブと、加圧式ストロークを備えるために前記スリーブの長手方向に沿って第一方向に移動する軸と、戻りストロークを備えるためにスリーブに位置し第二方向に軸を付勢するばねとを有する。本発明のもう一つの態様において、ポンプは往復機構を含み、往復機構は、加圧式ストロークを備えるために第一方向に折り畳み可能であり、戻りストロークを備えるために第二方向に拡張する、複数のプリーツにより画定されるベローズを有する。
【発明の効果】
【０００７】
本発明の一つの効果として、シェービング操作が単一のステップで実施できることである。さらに具体的には、剃刀刃を剃毛面に沿わせるにしたがい、即ちシェービング操作に伴い、除毛に必要なシェービングエイド物質を塗布することである。シェービング操作に応じて、シェービングエイド物質を塗布及び適用することにより、シェービングエイド物質を適用するための別のステップを省くことができることである。さらに、シェービングエイド物質が事前に洗い流される可能性（例えば、シャワー等の湿式環境でシェービング操作を実施する場合）を最小限にすることが可能である。
【０００８】
本発明のもう一つの効果として、シェービングエイド物質は刃の手前で適用されるので、皮膚の潤滑性が最大限に保持され、ユーザは快適な剃感を感じることができる。
【０００９】
本発明の上記及びその他の目的、特徴及び効果は本発明の詳細な説明を考慮して明らかになるであろう。
【発明を実施するための最良の形態】
【００１０】
図１−図３を参照すると、シェービング装置１０が図示されている。シェービング装置は、非固形シェービングエイド物資を収容する容器２２（図２参照）を画定するハンドル１２、ハンドル１２の開放端の開口に配置するヘッド組立体１４、ヘッド組立体１４の前面１８に隣接するよう装着される少なくとも一つの剃刀刃１６、容器２２と連通し、シェービングエイド物質をヘッド組立体１４の少なくとも前面１８に移動させるポンプ２４（図２参照）を含む。一方向バルブ２６（図３参照）はハンドル１２に設置され、ポンブ２４の操作に伴い、容器に周辺空気を侵入することを許可する。ハンドル１２は、快適なシェービング操作を備えるため人間工学的に設計されることが好ましい。少なくとも一つの剃刀刃１６がヘッド組立体１４に直接装着され、又はヘッド組立体１４に装着される取替用剃刀カートリッジ２０に装着される。剃刀カートリッジ２０は剃毛面に合わせるために回転するよう構成することが可能である。
【００１１】
ポンプ２４は、往復運動に応じて作動する機構から成り、容器２２の流出口に設置される。ポンプ２４の一実施態様の往復機構は、空洞のスリーブ２８とスリーブ２８の長手方向に沿って位置する付勢機構（例えば、ばね３０）を含む。或る実施態様において、ばね３０はスリーブ２８に設置され、スリーブ２８はヘッド組立体１４の後面３４に従属する空洞軸３２を受領するよう構成される。他の実施態様において、ばね３０はスリーブ２８の外側に設置され、軸３２はスリーブ２８の外側に沿って受領するよう構成される。何れの実施態様のおいても、ばね３０とスリーブ２８との間の操作可能な接続及びばね３０と軸３２との間の操作可能な接続により、ヘッド組立体１４をハンドル１２の操作可能な開口端の開口内部において、“浮かせる”ことが可能である。  導管３６は、ヘッド組立体１４の前面１８において、軸３２の空洞からポート３３に伸長し、容器２２と剃毛面との流体連通を備えることが可能となる。
【００１２】
ポンプ２４の前述した実施態様を有するシェービング装置１０の操作において、シェービングエイド物質は、ヘッド組立体１４の移動に伴うポンプ２４の作動を介して、剃毛面に塗布される。ヘッド組立体１４の移動（或る実施態様において剃刀カートリッジ２０を含む）は、前面１８（及び／又は剃刀カートリッジ２０）に対する加圧により、例えば、少なくとも一つの剃刀刃１６の剃毛面に対する押圧により、影響を受ける。前面１８を加圧することにより、軸３２は、ばね３０の付勢に対し第一方向にスリーブ２８に沿って移動することにより、容器２２を加圧し、スリーブ２８及び軸３２を通して、さらに導管３６を通してポート３３にシェービングエイド物質を移動する。前面１８に対する加圧が解消されると、ばね３０の付勢が、スリーブ２８から待避するよう軸３２を第二方向に移動させることにより（戻りストロークにおいて）、加圧式ストローク位置に戻り、圧力差が一方向バルブ２６を開口し、容器２２に空気が侵入することを許可し、容器２２の圧力を均一にする。
【００１３】
シェービング装置１０の他の実施態様は、図４−図６に示されている。前述されたように、シェービング装置１０は、ハンドル１２、ハンドル１２内部に配置する容器２２、ハンドル１２の開放端の開口に配置するヘッド組立体１４、ヘッド組立体１４の前面１８のポート３３の近隣に装着される少なくとも一つの剃刀刃１６、ポンプ２４を含む。しかしながら、ポンブ２４はベローズ４２から成る。図５と図６に示される実施態様において、ベローズは、容器２２とヘッド組立体１４との間を伸長する通路４４の一部に配置する。ベローズ４２は、複数のプリーツ４０を含む。プリーツ４０は、往復運動に応じて、ベローズ４２を軸方向に屈曲する。さらに、プリーツ４０は、ベローズを元の位置又は静止位置に戻す付勢機構を備える。プリーツ４０は、弾力材に組み込むことにより、及び／又はばねタイプ機械要素と連結することにより、付勢機構を備える。ベローズ４２は容器２２と連通し、ヘッド組立体１４の前面１８において、シェービングエイド物質をポート３３に移動させる。ピストン２７は、ポンプ２４の操作によりシェービングエイド物質が容器２２から流出するのに伴い、容器２２の体積を減少させるために使用されることが好ましい。或る実施態様において、ハンドル１２は、シェービング装置１０の開口端の近隣に配置する開き戸１３を含み、容器２２、ベローズ、ヘッド組立体１４を含む取替用カートリッジの挿入、離脱を可能とする。前述するように、ハンドル１２は人間工学的に設計され、少なくとも一つの剃刀刃１６が直接に前面１８に装着される、又は取替用剃刀カートリッジ２０に装着され、及びヘッド組立体１４に装着される。ベローズのプリーツ４０は、ヘッド組立体１４を開口において自由に浮くことを可能とする。或いは、図５に示されるように、枢着部１９において、ヘッド組立体１４は、枢動自在に装着される。
【００１４】
シェービングエイド物質は、ポンプ２４のベローズ４２により、容器２２から移動する。プリーツ４０の下流にあるポンプ２４の出口は、ヘッド組立体１４の前面１８と、通路４４、導管３６、ポート３３を介して、流体連通する。
【００１５】
或る実施態様において、逆止め弁４８は、ヘッド組立体１４とポンプ２４との間の通路４４に設置される。逆止め弁４８は、シェービングエイド物質をヘッド組立体１４に流出し、容器２２に空気、シェービングエイド物質等の侵入を阻止する。例えば、図５に示される実施態様において、逆止め弁４８はヘッド組立体１４とベローズ４２との間に配置する。
【００１６】
ポンプ２４を作動するために、複数のプリーツ４０は交互に折り畳み、拡張する。プリーツ４０の折り畳みは、ヘッド組立体１４に設置される剃刀カートリッジ２０に対する加圧に応じて影響を受ける。このようなプリーツ４０の折り畳み（圧力ストロークを備える）により、容器２２は加圧され、シェービングエイド物質は、ポンプ２４、通路４４、導管３６を介して、前面１８のポート３３に送出する。それに続くプリーツ４０の拡張（戻りストロークを備える）は、ベローズ４２の弾性への対応と、剃刀カートリッジ２０の加圧の解放に影響を及ばす。剃刀カートリッジ２０の加圧が解放され、戻りストロークが起動する場合に、合成圧力差は、ピストン２７に対し容器２２の内部で引くよう作動し、容器２２の体積を減少させる。
【００１７】
本発明は、詳細な実施態様について示され説明されているが、本発明の当業者は、本発明の範囲を逸脱することなく、多様な変更及び代用ができることを理解するであろう。例えば、本発明の当業者は、剃刀カートリッジに配置され図示された剃刀刃構成の以外にも、前述した実施態様に適用できることを理解するであろう。さらに、前述したポンプの構成以外にも、同様に前述した実施態様に適用できることを理解できるであろう。
【図面の簡単な説明】
【００１８】
【図１】シェービング装置の分解斜視図である。
【図２】図１のシェービング装置の断面図であり、ポンプを示している。
【図３】図１のシェービング装置の平面図であり、シェービング装置のハンドルの弁の位置を示している。
【図４】シェービング装置の他の実施態様の斜視図である。
【図５】図４のシェービング装置の断面図であり、ベローズポンプを示している。
【図６】図５及び図６のシェービング装置の斜視図であり、開放位置におけるシェービング装置のハンドルに設置された開き戸を示している。
【図１】
0005296988.tif 000002
【図２】
0005296988.tif 000003
【図３】
0005296988.tif 000004
【図４】
0005296988.tif 000005
【図５】
0005296988.tif 000006
【図６】
0005296988.tif 000007